(57)【特許請求の範囲】
【請求項１】
(イ)固定弁体に対する可動弁体の摺動運動により吐止水と吐水の温度調節とを行う混合弁と、(ロ)連結アームを介して該可動弁体に連結されたハンドル基部、及び該ハンドル基部から突き出したレバー部を備えたハンドルと、を有し、該レバー部を回動操作することで該ハンドル基部及び前記連結アームを介して前記可動弁体を摺動運動させるようになしたシングルレバー水栓において
前記レバー部を前記ハンドル基部と別体となして該ハンドル基部に対し抜差し可能となし、該レバー部を水栓使用のためのキーとなしてあるとともに、
該ハンドル基部に差し込んだ該レバー部を抜け防止する抜止機構が設けてあって、
該抜止機構が、該レバー部を差込み後に回転させることで前記ハンドル基部から抜け防止するものとなしてあり、
該レバー部には軸部と、該軸部の軸心周りに非円形状をなし、該軸部の先端部から軸直角方向に突出した鍔状の掛止部が設けてあるとともに、前記ハンドル基部には周壁部に該掛止部を該ハンドル基部の内側に挿入させる、該掛止部に対応した形状の差込孔が設けてあって、前記軸部を該掛止部の側から該掛止孔に挿入した後、前記レバー部を回転させることで、該掛止部が該周壁部の内側で前記掛止孔の縁部に掛止して該レバー部が前記ハンドル基部から抜け防止されるようになしてあり、前記抜止機構がそれら掛止部，該掛止部に対応した形状の前記差込孔及び前記周壁部における該差込孔の縁部にて構成してあることを特徴とするシングルレバー水栓。
【請求項２】
(イ)固定弁体に対する可動弁体の摺動運動により吐止水と吐水の温度調節とを行う混合弁と、(ロ)連結アームを介して該可動弁体に連結されたハンドル基部、及び該ハンドル基部から突き出したレバー部を備えたハンドルと、を有し、該レバー部を回動操作することで該ハンドル基部及び前記連結アームを介して前記可動弁体を摺動運動させるようになしたシングルレバー水栓において
前記レバー部を前記ハンドル基部と別体となして該ハンドル基部に対し抜差し可能となし、該レバー部を水栓使用のためのキーとなしてあるとともに、
前記ハンドル基部を止水状態にロックするロック機構が設けてあり、且つ該ロック機構は、前記レバー部を前記ハンドル基部から抜き出した状態でロック作用状態となり、該レバー部をハンドル基部に差し込むことによってロック解除可能なものとなしてあることを特徴とするシングルレバー水栓。
【請求項３】
請求項２において、前記ロック機構は、前記レバー部を差し込んだ後に回転することでロック解除動作するものとなしてあることを特徴とするシングルレバー水栓。
【請求項４】
請求項３において、前記ロック機構は、前記レバー部を前記ハンドル基部の内部に付勢手段の付勢力に抗して押し込むことにより、該レバー部の回転によるロック解除が可能なものとなしてあることを特徴とするシングルレバー水栓。
【請求項５】
請求項３，４の何れかにおいて、前記ロック機構は、前記ハンドル基部から延び出した回転可能なロック片を有しており、該ロック片は、ロック作用時には水栓本体の当接部に当接して、当接作用により前記ハンドル基部を止水状態から吐水方向への回動を阻止する一方、前記ハンドル基部に差し込まれた前記レバー部の回転により、前記当接部に対する当接作用位置から非当接状態となる退避位置まで回転運動し、前記ハンドル基部の吐水方向への回動を許容するものとなしてあることを特徴とするシングルレバー水栓。
【発明の詳細な説明】
【技術分野】
【０００１】
この発明はシングルレバー水栓に関し、特に屋外に設置されるもの、集合住宅，マンション等の共用部分に設置されるもの等に適用して好適なシングルレバー水栓に関する。
【背景技術】
【０００２】
従来、固定弁体に対する可動弁体の摺動運動により吐止水と吐水の温度調節とを行う混合弁と、連結アームを介して可動弁体に連結されたハンドル基部及びハンドル基部から突き出したレバー部を備えたハンドルとを有し、レバー部を回動操作することでハンドル基部及び連結アームを介して可動弁体を摺動運動させるようになしたシングルレバー水栓が広く用いられている。
【０００３】
一方、庭や車庫等の屋外に、ペットを洗ったり庭仕事の後に器材その他を洗ったりする等の目的で、上向きに起立して設けられた柱体に水栓を備えて成る水栓柱を設置することが行われている。
従来このような水栓柱の水栓として、シングルレバー水栓を備えておくことが提案されている。
例えば下記特許文献１に、水栓柱における水栓としてシングルレバー水栓を設けたものが開示されている。
【０００４】
ところがこのような水栓柱は屋外にあることから、これに備えたシングルレバー水栓が悪戯使用されたり或いは不正使用されたりする恐れがある。
こうした問題は、水栓柱に限らず屋外に設置されている水栓において共通して生じる問題であり、また屋内外を問わず集合住宅やマンションの共用部分に設置されている水栓その他においても生じ得る問題である。
【０００５】
このような問題に対する対策を施したものが下記特許文献２に開示されている。
このものは、水栓収納用の凹部を形成し、ハンドルが凹部に収納される状態に水栓を回転自在に取り付け、更に水栓の回転をロックする施錠装置を設けたものである。
しかしながらこの特許文献２に開示のものは、その構成において本発明とは異なったものである。
【０００６】
また一方、下記特許文献３には水栓の操作部を脱着可能となした点が開示されている。
しかしながらこの特許文献３に開示のものはシングルレバー水栓に関するものではなく、また脱着の対象が本発明とは異なっており、本発明とは別異のものである。
【０００７】
【特許文献１】特開２００５−１２０７１７号公報
【特許文献２】特開平１０−１７６３５０号公報
【特許文献３】実開昭６１−１２６１６６号公報
【発明の開示】
【発明が解決しようとする課題】
【０００８】
本発明は以上のような事情を背景とし、水栓が悪戯によって使用されたり、或いは不正使用されたりするのを有効に防止することのできるシングルレバー水栓を提供することを目的としてなされたものである。
【課題を解決するための手段】
【０００９】
而して請求項１のものは、(イ)固定弁体に対する可動弁体の摺動運動により吐止水と吐水の温度調節とを行う混合弁と、(ロ)連結アームを介して該可動弁体に連結されたハンドル基部、及び該ハンドル基部から突き出したレバー部を備えたハンドルと、を有し、該レバー部を回動操作することで該ハンドル基部及び前記連結アームを介して前記可動弁体を摺動運動させるようになしたシングルレバー水栓において、前記レバー部を前記ハンドル基部と別体となして該ハンドル基部に対し抜差し可能となし、該レバー部を水栓使用のためのキーとなしてあるとともに、該ハンドル基部に差し込んだ該レバー部を抜け防止する抜止機構が設けてあって、該抜止機構が、該レバー部を差込み後に回転させることで前記ハンドル基部から抜け防止するものとなしてあり、該レバー部には軸部と、該軸部の軸心周りに非円形状をなし、該軸部の先端部から軸直角方向に突出した鍔状の掛止部が設けてあるとともに、前記ハンドル基部には周壁部に該掛止部を該ハンドル基部の内側に挿入させる、該掛止部に対応した形状の差込孔が設けてあって、前記軸部を該掛止部の側から該掛止孔に挿入した後、前記レバー部を回転させることで、該掛止部が該周壁部の内側で前記掛止孔の縁部に掛止して該レバー部が前記ハンドル基部から抜け防止されるようになしてあり、前記抜止機構がそれら掛止部，該掛止部に対応した形状の前記差込孔及び前記周壁部における該差込孔の縁部にて構成してあることを特徴とする。
【００１０】
請求項２のものは、(イ)固定弁体に対する可動弁体の摺動運動により吐止水と吐水の温度調節とを行う混合弁と、(ロ)連結アームを介して該可動弁体に連結されたハンドル基部、及び該ハンドル基部から突き出したレバー部を備えたハンドルと、を有し、該レバー部を回動操作することで該ハンドル基部及び前記連結アームを介して前記可動弁体を摺動運動させるようになしたシングルレバー水栓において前記レバー部を前記ハンドル基部と別体となして該ハンドル基部に対し抜差し可能となし、該レバー部を水栓使用のためのキーとなしてあるとともに、前記ハンドル基部を止水状態にロックするロック機構が設けてあり、且つ該ロック機構は、前記レバー部を前記ハンドル基部から抜き出した状態でロック作用状態となり、該レバー部をハンドル基部に差し込むことによってロック解除可能なものとなしてあることを特徴とする。
【００１１】
請求項３のものは、請求項２において、前記ロック機構は、前記レバー部を差し込んだ後に回転することでロック解除動作するものとなしてあることを特徴とする。
【００１２】
請求項４のものは、請求項３において、前記ロック機構は、前記レバー部を前記ハンドル基部の内部に付勢手段の付勢力に抗して押し込むことにより、該レバー部の回転によるロック解除が可能なものとなしてあることを特徴とする。
【００１３】
請求項５のものは、請求項３，４の何れかにおいて、前記ロック機構は、前記ハンドル基部から延び出した回転可能なロック片を有しており、該ロック片は、ロック作用時には水栓本体の当接部に当接して、当接作用により前記ハンドル基部を止水状態から吐水方向への回動を阻止する一方、前記ハンドル基部に差し込まれた前記レバー部の回転により、前記当接部に対する当接作用位置から非当接状態となる退避位置まで回転運動し、前記ハンドル基部の吐水方向への回動を許容するものとなしてあることを特徴とする。
【発明の作用・効果】
【００１４】
以上のように本発明は、シングルレバー水栓がレバー部を操作することによって使用される水栓である特徴に着眼し、かかるシングルレバー水栓におけるレバー部をハンドル基部と別体となしてハンドル基部に対し抜差し可能となし、レバー部を水栓使用のためのキーとなしたもので、本発明によれば、ハンドル基部に対して別体となしてあるレバー部をハンドル基部から抜き出しておくことで、シングルレバー水栓を使用不能状態となすことができ、これによりシングルレバー水栓が悪戯使用されたり、或いは不正使用されたりするのを有効に防止することが可能となる。
【００１５】
ここで本発明の請求項１は、ハンドル基部に差し込んだレバー部を抜け防止する抜止機構を設けたもので、このようにしておけば、レバー部をハンドル基部に差し込んだ後において、これを回動操作する際に誤ってレバー部がハンドル基部から抜けてしまうといった不都合を防止でき、通常のシングルレバー水栓と同様に使い勝手良くシングルレバー水栓を使用することができる。
【００１６】
この場合において、その抜止機構は、レバー部を差込み後に回転させることでハンドル基部から抜け防止するものとなしておく。
更にこの場合において、レバー部には軸部と、その軸部の軸心周りに非円形状をなし、軸部の先端部から軸直角方向に突出した鍔状の掛止部を設けておくとともに、ハンドル基部にはその周壁部に、掛止部をハンドル基部の内側に挿入させる、掛止部に対応した形状の差込孔を（キー孔として）設けておき、軸部を掛止部の側から差込孔に挿入した後、レバー部を回転させることで掛止部がハンドル基部における周壁部の内側で差込孔の縁部に掛止し、レバー部がハンドル基部から抜け防止されるようになしておき、それら掛止部，差込孔及び周壁部における差込孔の縁部にて上記の抜止機構を構成しておく。
このようにすれば、極めて簡単にレバー部の抜止機構を構成することができる。
【００１７】
次に請求項２は、ハンドル基部を止水状態にロックするロック機構を設けておき、且つそのロック機構は、レバー部をハンドル基部から抜き出した状態でロック作用状態となり、レバー部をハンドル基部に差し込むことによってロック解除可能なものとなしたもので、この請求項２によれば、レバー部をハンドル基部から抜き出すことによって、単にレバー部を操作して水栓を吐水操作できなくするのみならず、弁部における可動弁体を摺動運動させるハンドル基部自体が止水状態にロックされるため、シングルレバー水栓の悪戯使用や不正使用をより確実に防止することができる。
【００１８】
一方でレバー部を差し込むことによって、ロック機構をロック解除させることができ、支障なくシングルレバー水栓を使用することが可能となる。
この場合において、ロック機構は、レバー部を差し込んだ後に回転することでロック解除動作するものとなしておくことができる（請求項３）。
このようにすれば、レバー部によって簡単にロック解除可能なロック機構を構成することができる。
【００１９】
更にこの場合において、ロック機構は、レバー部をハンドル基部の内部に付勢手段の付勢力に抗して押し込むことにより、レバー部の回転によるロック解除が可能なものとなしておくことができる（請求項４）。
【００２０】
ここで上記ロック機構は、ハンドル基部から延び出した回転可能なロック片を有するものとなし、且つそのロック片は、ロック作用時には水栓本体の当接部に当接してハンドル基部の吐水方向への回動を阻止する一方、ハンドル基部に差し込まれたレバー部の回転により当接作用位置から退避位置まで回転運動して、ハンドル基部の吐水方向への回動を許容するものとなしておくことができる（請求項５）。
このようにすれば、ロック機構を簡単な構造で構成することができる。
【発明を実施するための最良の形態】
【００２１】
次に本発明の実施形態を図面に基づいて詳しく説明する。
図１及び図２において、１０は屋外に設置された水栓柱で、１２は排水口１４を有する洗い場であり、この洗い場１２の奥部から断面円形を成す柱体１６が起立している。
この柱体１６の側面（洗い場１２側の使用者から見て右側面）には、水吐水を行う単水栓１８が設けられている。
単水栓１８は、柱体１６の右側面から右側方に突き出す水栓本体２０を有しており、この水栓本体２０の正面に、吐水口２４を有する吐水管２６が前方に突き出す形態で設けられている。ここで吐水管２６は先端部が前方斜め下向きをなしている。
尚、この単水栓１８は柱体１６の略中間の高さ位置に設けられている。
【００２２】
一方、柱体１６の上部且つ単水栓１８とは同じ側の右側面には、ハンガー３０が設けられている。ここでハンガー３０は、ペットの鎖やブラシその他小物を掛けて保持する部分である。
柱体１６のハンガー３０と略同じ高さ位置、且つハンガー３０とは反対側の側面、即ち洗い場１２側の使用者から見て左側面には、シャワーフック３２が左側方に突き出す形態で設けられている。
そしてそのシャワーフック３２に、シャワー吐水口３４を有するシャワーヘッド３６が掛止され保持されるようになっている。
柱体１６にはまた、その上端部にシングルレバー水栓３５が設けられている。
【００２３】
図２に柱体１６，シングルレバー水栓３５の内部構造が、また図３に単水栓１８の内部構造が具体的に示してある。
図２に示しているように、柱体１６は内部が中空とされており、中空内部に水配管としてのサプライ管３８，４０及び湯配管としてのサプライ管４２が収納されている。
ここでサプライ管３８，４０，４２はそれぞれフレキ管（フレキシブル管）にて構成されている。詳しくはゴム等の弾性チューブの外周面を可撓性の金属材にて被覆した形態のフレキシブル管にて構成されている。
【００２４】
栓体１６の下部の土中に埋設される部分には、接続部材４８が設けられていて、その接続部材４８の接続口４４，４６に、図示を省略する外部の水配管及び湯配管がそれぞれ接続されるようになっている。
そしてこの接続部材４８の接続口４４に連通するようにして、上記のサプライ管３８の下端部が接続され、また湯の接続口４６に連通するようにして、湯側のサプライ管４２の下端部がかかる接続部材４８に接続されている。
【００２５】
水側のサプライ管３８と４０との間には、流路を分岐させる分岐部材５０が接続されており、水側の流路がこの分岐部材５０にて流路５２と５４とに分岐されている。
サプライ管３８を通じて給水された水は、この流路５４を通じて単水栓１８における水栓本体２０内部に流入し、続いて吐水管２６側に流れ込んで、先端の吐水口２４から吐水される。
尚５６は、流路５２を流通する水の流量を調整するための流量調整栓である。
【００２６】
柱体１６の上端部には、サプライ管３８，４０及び４２を通じて上向きに送られてきた水と湯とを所定比率で混合し、適温の温調水とするための、上記シングルレバー水栓３５における混合弁５８が設けられている。
【００２７】
混合弁５８は、セラミックディスクから成る固定弁体６４と、固定弁体６４に対して摺動運動する可動弁体６６とを有している。
固定弁体６４には水，湯の流入口６８が設けられており、そこに上記のサプライ管４０と４２との上端部がそれぞれ接続されている。
【００２８】
固定弁体６４にはまた流出口７２が設けられていて、その流出口７２に、流出管７４の上端部が接続されている。
混合弁５８は水、湯の流入口６８から流入した水と湯とを、可動弁体６６の混合室７０に流入させてそこで混合し、そして混合水を流出口７２から流出管７４へと流出させる。
【００２９】
流出管７４に流出した混合水は、図２（Ａ）に示すシャワーフック３２内部に形成された流路７５に流入した後、続いてシャワーホース７８を通じ上記のシャワーヘッド３６へと導かれる。
混合弁５８では、可動弁体６６の位置を移動させることによって、水と湯との混合比率を調整し、或いはまた水，湯の一方の流入口又は両方の流入口を閉鎖する。
而して両方の流入口が閉鎖された状態において、シャワーヘッド３６からの吐水が停止される。即ち止水される。
尚、柱体１６の内部にはその空隙部分に保温材８６が充填されている。
【００３０】
一方上記単水栓１８は、図３に示しているように内部に弁体８８を有しており、その弁体８８が、スピンドル９０の回転によって弁座９２に対し進退移動するようになっている。
ここでスピンドル９０には雄ねじ部９４が設けられており、スピンドル９０を回転させるとねじ送りで弁体８８が進退移動させられる。
尚９６は、スピンドル９０を回転駆動するための駆動用の軸部である。
【００３１】
図１及び図２において、９８はシングルレバー水栓３５におけるハンドルで、このハンドル９８は、平面形状が円形で逆カップ状をなすハンドル基部１００と、ハンドル基部１００から洗い場１２側に向って前方に突き出したレバー部１０２とを有している。
そしてそのハンドル基部１００が、図４に示してるように連結アーム１０４を介して上記の混合弁５８における可動弁体６６に作動的に連結されている。
【００３２】
このシングルレバー水栓３５では、レバー部１０２を上向きに回動操作することで、シャワーヘッド３６からの吐水が開始され、またその回動量を多くすることで吐水流量が増大せしめられる。
また逆にレバー部１０２を下向きに回動操作することで、吐水の流量が減少し、最終的に止水に到る。
一方レバー部１０２を左右に回動操作することで、湯と水の混合比率が変化せしめられ、混合水即ち吐水の温度が調節される。
【００３３】
この実施形態においては、レバー部１０２がハンドル基部１００と別体とされていて、ハンドル基部１００に対して抜差し可能となしてあり、レバー部１０２が水栓使用のためのキーとなしてある。
レバー部１０２は、図５にも示しているように所定肉厚の扁平形状且つ円形のリング状をなす入力部１０６と、これから突き出した軸部１０８と、軸部１０８の先端部から軸直角方向に突出した鍔状の掛止部１１０を有している。
ここで掛止部１１０は、全体として軸部１０８の軸心周りに非円形状を成している。
【００３４】
これら掛止部１１０と軸部１０８とには、先端で開口した非円形状の、ここでは四角形状の係合孔１１２が設けられている。
一方、図６に示しているようにハンドル基部１００の周壁部１１４には、掛止部１１０に対応した形状の貫通の差込孔１１６がキー孔として設けられている。
【００３５】
この実施形態では、図１０（Ｉ）及び図１１（Ｉ）に示しているようにレバー部１０２をリング状の入力部１０６が上下方向の縦向きとなる姿勢として、掛止部１１０及び軸部１０８の先端部をこの差込孔１１６内に差し込む。
そして図１１（Ｃ）に示すように差込後にレバー部１０２を９０度回転することで、詳しくは入力部１０６が水平方向の横向き姿勢となるまで回転することで、掛止部１１０がハンドル基部１００の内側で周壁部１１４に係合した状態となる。
詳しくは、図１１（Ｃ）に示しているように掛止部１１０が、ハンドル基部１００の内側で差込孔１１６の縁部に掛止した状態となる。
ここにおいてレバー部１０２がハンドル基部１００から抜け防止された状態となる。
即ちこの実施形態では、掛止部１１０及び掛止部１１０に対応した形状のハンドル基部１００の差込孔１１６、及び周壁部１１４における差込孔１１６の縁部にて、レバー部１０２を抜け防止する抜止機構が構成されている。
【００３６】
図４に示しているように、ハンドル基部１００には軸体１１８が回転可能に組み付けられている。
軸体１１８は、図７に示しているように図中右端部と軸方向中間部とが断面円形をなしており、それらの部分が、ハンドル基部１００に設けられた断面円形の支持孔１２０，１２２にて回転可能に支持されている。
【００３７】
軸体１１８は、図中左端側がレバー部１０２における上記の係合孔１１２に対応した断面四角形状をなし、レバー部１０２の係合孔１１２に嵌入して係合するレバー係合部１２４とされ、またハンドル基部１００における支持孔１２０と１２２との間の部分が、後述するロック片に嵌り合って係合するロック片係合部１２６とされている。このロック片係合部１２６もまた断面四角形状をなしている。
この軸体１１８は、レバー部１０２をハンドル基部１００の差込孔１１６内に差し込んだときに、レバー係合部１２４がレバー部１０２の係合孔１１２内に嵌り込んで係合し、その後レバー部１０２の回転に伴って、かかる軸体１１８が一体に回転せしめられる。
【００３８】
尚、図４に示しているようにハンドル基部１００には、差込孔１１６を内側から閉鎖する閉鎖部材１２８が設けられていて、この閉鎖部材１２８が軸体１１８に軸方向に移動可能に嵌装されるとともに、圧縮コイルばねから成るばね（付勢手段）１３０にて図中左向き、即ち差込孔１１６を閉鎖する方向に付勢されている。
従ってレバー１０２をハンドル基部１００の差込孔１１６に差し込むときには、図１０に示しているようにこの閉鎖部材１２８をばね１３０の付勢力に抗して図中右向きに押し込みながら、差込孔１１６に差し込む。
そしてその差込みによって、係合孔１１２と軸体１１８のレバー係合部１２４とを一体回転状態に係合させる。
【００３９】
上記ロック片１３２は、レバー部１０２がハンドル基部１００の差込孔１１６から抜き出されたときに、ハンドル基部１００を止水状態にロックする働きをなすもので、図８に示しているように円形の基部１３４を有しており、これから当接アーム１３６が軸直角方向に延び出している。
また基部１３４の中心部には、上記軸体１１８におけるロック片係合部１２６の断面形状に対応した、四角形状の貫通の係合孔１３８が設けられている。
ロック片１３２は、この係合孔１３８において軸体１１８のロック片係合部１２６に嵌り合って係合し、ロック片１３２が軸体１１８と一体に回転運動する。即ちレバー部１０２の回転によってかかるロック片１３２が一体に回転する。
【００４０】
ロック片１３２は、図４及び図９（Ｉ）に示しているようにレバー部１０２の抜出状態の下で、当接アーム１３６が水栓本体１４６側の当接部、ここでは弁カートリッジを水栓本体１４６のハウジングに固定する固定ナット１４８に当接した状態となり、ハンドル基部１００８を止水状態にロックする。
即ちハンドル基部９８の図中右方向（時計方向）の回動運動を阻止した状態となって、ハンドル基部１００の右方向の回動により混合弁５８における可動弁体６６が吐水開始方向に摺動運動するのを阻止する。
【００４１】
そしてレバー部１０２がハンドル基部１００に差し込まれ、その後９０度回転せしめられることで、図９及び図１１に示すように軸体１１８と一体にロック片１３２が回転運動し、当接アーム１３６をともに９０度回転させて、当接アーム１３６を固定ナット１４８への当接作用位置から９０度回転した退避位置へと位置させる。
この状態において、はじめてハンドル基部１００が吐水方向に回動可能となる。
【００４２】
図９に示しているように、ハンドル基部１００にはクリック機構１５０の一要素をなすばね、ここでは板ばね１５２が組み付けられており、これに対応してロック片１３２の外周面には、図８にも示しているように周方向に隣接して板ばね１５２を嵌入させるクリック溝１４０-１，１４０-２が設けられている。尚これらクリック溝１４０-１と１４０-２との間の部分は壁１４２とされている。
【００４３】
このクリック機構１５０は次のように作用する。
図９（Ｉ）は、ロック片１３２における当接アーム１３６が水栓本体１４６側の当接部である固定ナット１４８に当接した状態にあって、ハンドル基部１００を止水状態にロックした状態にある。
この状態でレバー部１０２が回転操作されると、軸体１１８を介してロック片１３２が９０度回転せしめられる。
【００４４】
このとき、クリック機構１５０における板ばね１５２が、ロック片１３２における一方のクリック溝１４０-１に嵌り合った状態から、壁１４２を乗り越えて（図９（II）参照）、今一方のクリック溝１４０-２内に弾性力で勢い良く嵌り込み（図９（III）参照）、そこでクリック感を発生させる。
そのクック感は、軸体１１８を介してレバー部１０２に伝えられ、使用者はロック片１３２が退避位置まで９０度回転したことを、触感により或いはその際のクリック音により知ることができる。
またそのクリック機構１５０により、詳しくは板ばね１５２がクリック溝１４０-２に嵌り込むことによって、そこでロック片１３２の更なる回転が抑制される。即ちロック片１３２及びレバー部１０２に対する位置決め作用が及ぼされる。
【００４５】
尚、レバー部１０２を逆方向に回転操作したときには、ロック片１３２は、図９（III）に示す状態から図９（II）に示す状態を経て、再び図９（Ｉ）に示すまで回転せしめられる。
このときロック片１３２は、基部１３４から突出する状態に設けたストッパ部１４４が、ハンドル基部１００の上壁部の内面に当ってストッパ作用をなし、そこでロック片１３２，軸体１１８及びレバー部１０２の更なる回転が阻止される。
即ちレバー部１０２が、差込孔１１６から抜出し可能な位置に位置決めされる。
【００４６】
尚、ロック片１３２が図９（III）に示す状態から図９（Ｉ）に示す状態に回転させられたときにおいても、板ばね１５２がクリック溝１４０-１に嵌り込んで、そこでクリック感を発生させる。
従ってレバー部１０２をハンドル基部１００から抜き出すべく回転させたときに、そのクリック機構１５０によるクリック感と、ロック片１３２に設けたストッパ部１４４のストッパ作用とにより、レバー部１０２が抜出し可能な位置に到ったことを知ることができる。
【００４７】
次に本実施形態の作用を、図１０〜図１３に基づいて以下に説明する。
図１０（Ｉ）は、抜出状態にあるレバー部１０２をハンドル基部１００に差し込む直前の状態を表している。
このときレバー部１０２を、扁平形状をなす入力部１０６が上下の縦向きとなる姿勢にしておく。
その状態で図１２（Ｉ）に示すように掛止部１１０をハンドル基部１００の差込孔１１６に合致させた状態として、レバー部１０２を図中右向きに押し込み、レバー部１０２の軸部１０８を掛止部１１０の側からハンドル基部１００内部に差し込む。
このとき、図１０（II）に示しているように軸体１１８における図中左端側のレバー係合部１２４が、レバー部１０２の係合孔１１２内に入り込んだ状態となって、レバー係合部１２４とレバー部１０２とが係合し、一体に回転する状態となる。
【００４８】
図１１（Ｉ）はこのときの状態を示している。
この状態から、図１２（II），（III）及び図１１（II）に示しているようにレバー部１０２を９０度回転操作すると、ここにおいて図１１（II）（Ｂ）及び（Ｃ）、更に図１２（III）に示しているように、レバー部１０２における掛止部１１０が、ハンドル基部１００における周壁部１１４の差込孔１１６周りの縁部に掛止した状態となり、ここにおいてレバー部１０２がハンドル基部１０２から抜け防止される。
これと同時に、レバー部１０２と一体回転するロック片１３２が図９（Ｉ）に示す状態から図９（III）に示す状態となって、ロック片１３２によるハンドル基部１００の止水ロック状態が解除され、ハンドル基部１００が吐水方向に回動可能となる。
【００４９】
そこで、９０度の回転により図１３に示しているように入力部１０６が水平方向の横向き姿勢となったレバー部１０２に対し、図中上向きの回動操作力を加えることで、レバー部１０２とハンドル基部１００とが一体になって、即ちハンドル９８全体が図中右方向（時計方向）に回動し、ここにおいてシングルレバー水栓３５における吐水動作が行われる。
更にその状態でレバー部１０２に対し水平且つ左右方向に回動操作力を加えることで、レバー部１０２及びハンドル基部１００即ちハンドル９８全体が左右方向に回動運動し、ここにおいてシングルレバー水栓３５における吐水の温度調節動作が行われる。
【００５０】
一方シングルレバー水栓３５の使用を終了したところで、レバー部１０２を再び逆方向に９０度回転操作することで、これをハンドル基部１００から抜き出すことができる。
このとき、ロック片１３２が再びハンドル基部１００を止水状態にロックした状態となり、従ってレバー部１０２を抜き出すことによって、シングルレバー水栓３５がその後使用不能状態となる。
【００５１】
本実施形態において、レバー部１０２はまた、上記の単水栓１８における脱着可能なハンドルを兼ねて構成してある。
このレバー部１０２を、単水栓１８のハンドルとして取り付けるときには、図３に示しているようにスピンドル９０に設けた断面四角形状の駆動用の軸部９６を、レバー部１０２の係合孔１１２に嵌め合せるようにして、レバー部１０２の掛止部１１０及び軸部１０８を、単水栓１８における水栓本体２０のハウジング内部に、差込孔１１６を通じて差し込む。
【００５２】
これによりレバー部１０２と軸部９６、即ちスピンドル９０が一体回転状態に連結される。従ってその状態でレバー部１０２を回転操作すると、その時点でレバー部１０２が単水栓１８の水栓本体２０におけるハウジングから抜け防止されるとともに、スピンドル９０の回転によって弁体８８が弁座９２から離間せしめられ、単水栓１８における吐水動作が行われる。
また単水栓１８を再び止水した状態の下で、レバー部１０２が再び差込孔１１６から抜出し可能となる。
【００５３】
以上のように本実施形態によれば、ハンドル基部１００に対して別体となしてあるレバー部１０２をハンドル基部１００から抜き出しておくことで、シングルレバー水栓３５を使用不能状態となすことができ、これによりシングルレバー水栓３５が悪戯使用されたり、或いは不正使用されたりするのを有効に防止することができる。
【００５４】
また本実施形態では、ハンドル基部１００に差し込んだレバー部１０２を抜け防止する抜止機構が設けてあるため、レバー部１０２をハンドル基部１００に差し込んだ後においてこれを回動操作する際、誤ってレバー部１０２がハンドル基部１００から抜けてしまうといった不都合を防止でき、通常のシングルレバー水栓と同様に使い勝手良くシングルレバー水栓３５を使用することができる。
【００５５】
本実施形態ではまた、ハンドル基部１００を止水状態にロックするロック機構が設けてあることから、レバー部１０２をハンドル基部１００から抜き出すことによって、単にレバー部１０２を操作してシングルレバー水栓３５を吐水操作することができなくなるのみならず、混合弁５８における可動弁体６６を摺動運動させるハンドル基部１００自体が止水状態にロックされるため、シングルレバー水栓３５の悪戯使用や不正使用をより確実に防止することができる。
【００５６】
一方でレバー部１０２を差し込んで使用可能な水平姿勢に回転させることによって簡単にロック機構をロック解除でき、支障なくシングルレバー水栓３５を使用することが可能となる。
【００５７】
本実施形態ではそのロック機構が、ハンドル基部１００から延び出した回転可能なロック片１３２を有するものとなし、且つそのロック片１３２は、ロック作用時には水栓本体１４６の固定ナット１４８に当接してハンドル基部１００の吐水方向への回動を阻止する一方、ハンドル基部１００に差し込まれたレバー部１０２の回転により当接作用位置から退避位置まで回転運動して、ハンドル基部１００の吐水方向への回動を許容するものとなしてあり、ロック機構を簡単な構造で構成することができる。
【００５８】
本実施形態ではまた、レバー部１０２を、水栓柱１０にシングルレバー水栓３５と併せて設置されている単水栓１８の脱着可能なハンドルを兼ねて構成してあるため、レバー部１０２をシングルレバー水栓３５，単水栓１８の何れに対しても共通のキーとして且つ操作部分として共用することができ、シングルレバー水栓３５のみならず、水栓柱１０に備えられた別の単水栓１８の悪戯使用や不正使用も併せて防止することができる。
【００５９】
またシングルレバー水栓３５，単水栓１８それぞれに悪戯使用や不正使用を防止するためのキーを別々に備えておかなくても良く、共通のキー（レバー部１０２）にて対応できる利点が得られる。
【００６０】
上記実施形態において、閉鎖部材１２８は、ロック機構におけるロック解除を禁止する解除禁止部材として構成しておくことができる。
図１４及び図１５はその具体例を示している。
これらの図において、閉鎖部材１２８には上端に切落し形状の平坦な係合面１５４が形成されており、レバー部１０２の抜出状態の下でこの閉鎖部材１２８が係合面１５４においてハンドル基部１００側の突出部１５６に形成された対応形状の係合面１５８に係合し、軸体１１８即ちロック片１３２の回転によるロック解除を禁止する解除禁止部材となしてある。
【００６１】
而してレバー部１０２をハンドル基部９８内部に押し込むと、当初図１４及び図１５（Ｉ）に示すように解除禁止状態にあった閉鎖部材１２８が、図１５（II）に示しているようにレバー部１０２によりハンドル基部１００内部に深く押し込まれて移動し、閉鎖部材１２８における係合面１５４とハンドル基部１００側の係合面１５８との係合が外れた状態となる。
【００６２】
この時点で閉鎖部材１２８によるロック解除禁止の状態が解かれ、ここにおいて軸体１１８の回転によるロック片１３２のロック解除動作が許容される状態となる。
尚、閉鎖部材１２８には中心部に四角形状の係合孔１６０が形成されていて、この係合孔１６０において閉鎖部材１２８が軸体１１８におけるレバー係合部１２４に係合し、軸体１１８と一体回転するようになっている。
この点は図１〜図１３に示す上記実施形態の閉鎖部材１２８においても同様である。
【００６３】
以上本発明の実施形態を詳述したが、これはあくまで一例示である。
例えば本発明は上記の水栓柱に備えられたシングルレバー水栓のみならず、屋外に設置されている他の種々形態のシングルレバー水栓或いは屋内，屋外を問わず他の様々なシングルレバー水栓に適用可能である等、本発明はその趣旨を逸脱しない範囲において種々変更を加えた形態で構成可能である。
【図面の簡単な説明】
【００６４】
【図１】本発明の一実施形態であるシングルレバー水栓を備えた水栓柱の全体斜視図である。
【図２】同水栓柱の内部構造を示した要部断面図である。
【図３】同水栓柱に備えられた単水栓の内部構造を示した要部断面図である。
【図４】同実施形態のシングルレバー水栓の内部構造を示した要部断面図である。
【図５】同実施形態におけるレバー部の単品図である。
【図６】同実施形態におけるレバー部とハンドル基部との関係を示した斜視図である。
【図７】同実施形態におけるハンドルを各部品に分解して示す図である。
【図８】同実施形態におけるロック片の単品図である。
【図９】同実施形態におけるロック片及びクリック機構の作用説明図である。
【図１０】同実施形態の作用説明図である。
【図１１】同実施形態における抜止機構の作用説明図である。
【図１２】図１１の要部の作用説明図である。
【図１３】図１１に続く作用説明図である。
【図１４】本発明の他の実施形態の要部を示した図である。
【図１５】図１４の要部の作用説明図である。
【符号の説明】
【００６５】
１０  水栓柱
１８  単水栓
３５  シングルレバー水栓
５８  混合弁
６４  固定弁体
６６  可動弁体
９８  ハンドル
１００  ハンドル基部
１０２  レバー部
１０４  連結アーム
１０６  入力部
１０８  軸部
１１０  掛止部
１１４  周壁部
１１６  差込孔
１３２  ロック片
１３６  当接アーム
１４８  固定ナット（当接部）
【図１】
0005077882.tif 000002
【図２】
0005077882.tif 000003
【図３】
0005077882.tif 000004
【図４】
0005077882.tif 000005
【図５】
0005077882.tif 000006
【図６】
0005077882.tif 000007
【図７】
0005077882.tif 000008
【図８】
0005077882.tif 000009
【図９】
0005077882.tif 000010
【図１０】
0005077882.tif 000011
【図１１】
0005077882.tif 000012
【図１２】
0005077882.tif 000013
【図１３】
0005077882.tif 000014
【図１４】
0005077882.tif 000015
【図１５】
0005077882.tif 000016